(57)【要約】      （修正有）【課題】張線作業時における作業性が良く、かつ、電線に余分な負荷が加わることなく電線を掴持できる掴線器を提供する。【解決手段】本体１０と、固定側掴線部１と、移動自在な可動側掴線部２と、第１の支点３１と第１の作動部３とを備えた掴線器であって、第１の作動部は２つのアーム部を含む実質的にＬ字形状を有する。第１の支点は２つのアーム部の間に位置づけられ、第１の作動部は更に作用点３３において可動側掴線部と回動自在に接続される。掴線器は更に連接棒５を備え、第２の支点３２において２つのアームのうちの１つと回動自在に接続され、第２の作動部４は第３の支点４１において本体に回動自在に位置づけられる。連接棒の中腹部が第４の支点４２において第２の作動部に回動自在に接続され、第２端部が可動側掴線部と固定側掴線部に対して実質的に平行に引っ張られたときに電線が可動側掴線部と固定側掴線部の間に掴持される。【選択図】図４
2015173594.tif 000002
【特許請求の範囲】
【請求項１】
本体（１０）と、
該本体（１０）に設けられた固定側掴線部（１）と、
該固定側掴線部に対向するように移動自在に設けられた可動側掴線部（２）と、
第１の支点（３１）において前記本体（１０）に設けられた第１の作動部（３）と
を備えた掴線器であって、
前記第１の作動部（３）は２つのアーム部を含む実質的にＬ字形状を有し、前記第１の支点（３１）は当該２つのアーム部の間に位置づけられ、
前記第１の作動部（３）は更に、前記２つのアーム部のうちの１つに位置づけられた作用点（３３）において前記可動側掴線部（２）と回動自在に接続され、
当該掴線器は、更に連接棒（５）を備え、
該連接棒（５）の第１端部は、第２の支点（３２）において前記２つのアームのうちの前記１つと回動自在に接続され、
第２の作動部（４）は、第３の支点（４１）において前記本体（１０）に回動自在に位置づけられ、
前記連接棒（５）の中腹部が、第４の支点（４２）において前記第２の作動部（４）に回動自在に接続され、
これによって、前記連接棒（５）の第２端部が前記可動側掴線部（２）と前記固定側掴線部（１）に対して実質的に平行に引っ張られたときに、電線（Ｗ）が前記可動側掴線部（２）と前記固定側掴線部（１）の間に掴持されてなる
ことを特徴とする掴線器。
【請求項２】
請求項１に記載の掴線器を用いて電線を掴持する方法であって、
前記方法は、
（ｉ）前記可動側掴線部（２）と前記固定側掴線部（１）の間に電線（Ｗ）を配する工程と、
（ｉｉ）前記電線（Ｗ）が前記可動側掴線部（２）と前記固定側掴線部（１）の間に掴持されるように、前記連接棒（５）を、前記可動側掴線部（２）と前記固定側掴線部（１）に対して実質的に平行な方向に引っ張る工程を含んでなる
ことを特徴とする電線を掴持する方法。
【発明の詳細な説明】
【技術分野】
【０００１】
本発明は、電力線、通信線といった電線の張線作業時に電線を掴持する掴線器及び該掴線器を用いる掴線方法関する。
【背景技術】
【０００２】
従来、電線工事における張線作業では、張線器によって電線を引っ張るために電線を掴持する掴線器が用いられている。
【０００３】
しかし、従来の掴線器は、線状体（電線）を挿通させる作業から掴線部で線状体を固定するまでに作業者が移動しなければならない等、作業性が良くないものが多く、高所作業等危険を伴う場合や狭所等作業スペースが限定される場合が多い張線作業において作業性向上が求められていた。
【０００４】
そこで、図５に示すような固定側掴線部（５０１）を線状体（Ｗ）に引っ掛け、挿通孔（５０５）に挿通された円弧状の引張部（５０４）を矢印（Ａ）方向に引っ張ると作動部（５０３）が可動側掴線部（５２）を動作させて線状体（Ｗ）を掴持する構造を有し、作業者が掴線器正面側から移動せずに容易に操作できる掴線器（５００）が提案され採用されている（特許文献１参照）。
【０００５】
しかしながら、図５に示す掴線器（５００）では、線状体（Ｗ）を掴線する際には引張部（５０４）を矢印（Ａ）方向（図示右斜め下方）に引っ張るので、掴線器（５００）には図示時計回りのモーメントが加わる。
そのため、Ｂ部において線状体（Ｗ）に余分な負荷が加わり、湾曲することがある。線状体（Ｗ）が湾曲してくせがつくと寿命が短くなったり、損傷する虞があったりするといった問題につながる。
【先行技術文献】
【特許文献】
【０００６】
【特許文献１】特開２００４−２４２４７７号公報
【発明の概要】
【発明が解決しようとする課題】
【０００７】
本発明が解決しようとする課題は、上記の問題を鑑み、張線作業時における作業性が良く且つ張線作業時において線状体に余分な負荷が加わることなく線状体を掴持できる掴線器を提供することである。
【課題を解決するための手段】
【０００８】
請求項１に係る発明は、
本体（１０）と、
該本体（１０）に設けられた固定側掴線部（１）と、
該固定側掴線部に対向するように移動自在に設けられた可動側掴線部（２）と、
第１の支点（３１）において前記本体（１０）に設けられた第１の作動部（３）と
を備えた掴線器であって、
前記第１の作動部（３）は２つのアーム部を含む実質的にＬ字形状を有し、前記第１の支点（３１）は当該２つのアーム部の間に位置づけられ、
前記第１の作動部（３）は更に、前記２つのアーム部のうちの１つに位置づけられた作用点（３３）において前記可動側掴線部（２）と回動自在に接続され、
当該掴線器は、更に連接棒（５）を備え、
該連接棒（５）の第１端部は、第２の支点（３２）において前記２つのアームのうちの前記１つと回動自在に接続され、
第２の作動部（４）は、第３の支点（４１）において前記本体（１０）に回動自在に位置づけられ、
前記連接棒（５）の中腹部が、第４の支点（４２）において前記第２の作動部（４）に回動自在に接続され、
これによって、前記連接棒（５）の第２端部が前記可動側掴線部（２）と前記固定側掴線部（１）に対して実質的に平行に引っ張られたときに、電線（Ｗ）が前記可動側掴線部（２）と前記固定側掴線部（１）の間に掴持されてなる
ことを特徴とする掴線器
に関する。
【０００９】
請求項２に係る発明は、請求項１に記載の掴線器を用いて電線を掴持する方法であって、
前記方法は、
（ｉ）前記可動側掴線部（２）と前記固定側掴線部（１）の間に電線（Ｗ）を配する工程と、
（ｉｉ）前記電線（Ｗ）が前記可動側掴線部（２）と前記固定側掴線部（１）の間に掴持されるように、前記連接棒（５）を、前記可動側掴線部（２）と前記固定側掴線部（１）に対して実質的に平行な方向に引っ張る工程を含んでなる
ことを特徴とする電線を掴持する方法に関する。
【発明の効果】
【００１０】
請求項１に係る発明によれば、本体（１０）と、該本体（１０）に設けられた固定側掴線部（１）と、該固定側掴線部に対向するように移動自在に設けられた可動側掴線部（２）と、第１の支点（３１）において前記本体（１０）に設けられた第１の作動部（３）とを備えた掴線器であって、前記第１の作動部（３）は２つのアーム部を含む実質的にＬ字形状を有し、前記第１の支点（３１）は当該２つのアーム部の間に位置づけられ、前記第１の作動部（３）は更に、前記２つのアーム部のうちの１つに位置づけられた作用点（３３）において前記可動側掴線部（２）と回動自在に接続され、当該掴線器は、更に連接棒（５）を備え、該連接棒（５）の第１端部は、第２の支点（３２）において前記２つのアームのうちの前記１つと回動自在に接続され、第２の作動部（４）は、第３の支点（４１）において前記本体（１０）に回動自在に位置づけられ、前記連接棒（５）の中腹部が、第４の支点（４２）において前記第２の作動部（４）に回動自在に接続され、これによって、前記連接棒（５）の第２端部が前記可動側掴線部（２）と前記固定側掴線部（１）に対して実質的に平行に引っ張られたときに、電線（Ｗ）が、前記可動側掴線部（２）と前記固定側掴線部（１）の間に掴持されてなることを特徴としているので、固定側掴線部と可動側掴線部の間に掴持する線状体に余分な負荷が加わり難い。そのため、電線に湾曲のくせがついて寿命が短くなったり、損傷したりする虞を低減できる。また、電線に固定側掴線部を引っ掛けて、引張部を引っ張るだけで可動側掴線部を動作させて電線を掴持できるので、作業者が移動せず掴線器正面側から容易に作業できるので作業性も良い。
【００１１】
請求項２に係る発明によれば、請求項１に記載の掴線器を用いて電線を掴持する方法であって、前記方法は、（ｉ）前記可動側掴線部（２）と前記固定側掴線部（１）の間に電線（Ｗ）を配する工程と、（ｉｉ）前記電線（Ｗ）が前記可動側掴線部（２）と前記固定側掴線部（１）の間に掴持されるように、前記連接棒（５）を、前記可動側掴線部（２）と前記固定側掴線部（１）に対して実質的に平行な方向に引っ張る工程を含んでなることを特徴としていることにより、電線に近い位置で連接棒を引っ張ることができるので、掴線器に加わるモーメントがより発生し難く、電線に余分な負荷が加わらない。
【図面の簡単な説明】
【００１２】
【図１】本発明に係る掴線器の使用例を示す図である。
【図２】本発明に係る掴線器を示す正面図である。
【図３】本発明に係る掴線器を示す左側面図である。
【図４】本発明に係る掴線器の線状体を掴持した状態を示す正面図である。
【図５】従来の掴線器を示す正面図である。
【発明を実施するための形態】
【００１３】
以下、本発明に係る掴線器の好適な実施形態について、図面を参照しつつ説明する。
図１は本発明に係る掴線器（１００）の一般的な使用例を示す図である。
なお、本明細書中においては、図１，２，４における紙面手前を正面とし、その上下左右方向を夫々上方、下方、左方、右方とするが、本発明に係る掴線器は使用時において上下左右が図示の向きと異なる場合がある。
【００１４】
本発明に係る掴線器（１００）は図１に示すように、張線器（２００）と連結して張線作業等に用いられる。具体的には、電力線、通信線といった電線や、エレベータのワイヤ等の線状体（Ｗ）を張線器（２００）によって引っ張ってテンションを掛ける際に、線状体（Ｗ）を掴持するために用いられる。
また、図示していないが、張線器（２００）の両側に掴線器（１００）を１個ずつ取り付け、１本の線状体（Ｗ）を２つの掴線器（１００）で掴持し、張線器で引っ張ることによって線状体（Ｗ）に弛みを生じさせて行う切り分け作業等でも用いられる。
【００１５】
図２は、掴線器（１００）を示す正面図であり、図３は掴線器（１００）を示す左側面図である。
図２に示すように、掴線器（１００）は、本体（１０）の上端部に設けられた正面視略直線状の固定側掴線部（１）と、固定側掴線部（１）の下方に対向配置され、同じく正面視略直線状の可動側掴線部（２）を備えている。
なお、図３に示すように、本実施形態では固定側掴線部（１）は本体（１０）と一体に側面視略Ｌ字状に形成されているがこれに限定されず、別部材として設けられていても良い。
【００１６】
また、固定側掴線部（１）及び可動側掴線部（２）の側方視断面は、凹部が互いに対向するＶ字状または円弧状であることが好ましい。より好ましくは図３に示すように、固定側掴線部（１）がＶ字状、可動側掴線部（２）が円弧状であることが好ましい。
Ｖ字状断面の固定側掴線部（１）は断面略円形の線状体に断面上２点で接するので線状体の位置決めができ位置ズレすることがなく、円弧状断面の可動側掴線部（２）は線状体の周面に対して面で接するので確実に掴持できるからである。つまり、固定側掴線部（１）において位置決めした線状体を可動側掴線部（２）にて掴持することで、確実に位置決め固定できる。
【００１７】
図２に示すように本体（１０）の正面視下端左端部には第１作動部（３）が一端を支点（３１）として、本体（１０）の正面視下端右端部には第２作動部（４）が一端を支点（４１）として夫々本体（１０）に対して回動自在に取着されている。これら第１作動部（３）及び第２作動部（４）は、本体（１０）から下方に向けて互いに略平行に延伸している。  また、第１作動部（３）は他端を支点（３２）として、第２作動部（４）は他端を支点（４２）として夫々連接棒（５）に対して回動自在に連結されている。
さらに第１作動部（３）は支点（３１）と支点（３２）を結ぶ直線と略直角を成して、支点（３１）近傍から右方に延伸して全体として略Ｌ字状となっており、その延伸した先端は作用点（３３）として可動側掴線部（２）と回動自在に連結しており、第１作動部（３）の支点（３１）回りの回動に伴って、作用点（３３）は可動側掴線部（２）と共に移動する。
【００１８】
支点（３２）は連接棒（５）の正面視左端部に、支点（４２）は連接棒（５）の中腹に位置し、連接棒（５）の正面視右端部には引張部（６）が正面視左端部を支点（６１）として連接棒（５）に対して回動自在に取着されている。また、支点（３２）、支点（４２）、支点（６１）は略一直線上に配置されている。連接棒（５）の形状は特に限定されるものではないが、図示例では略直線状に形成されている。
【００１９】
引張部（６）の正面視右端部は、図２に示すように環状部（６２）が形成されていることが好ましい。図１に示すように張線器（２００）を連結する際に張線器（２００）のフック等により容易に連結できるからである。
【００２０】
図４は、掴線器（１００）の線状体を掴持した状態を示す正面図であり、これを用いて掴線器（１００）の動作を説明する。
まず、図２において、固定側掴線部（１）と可動側掴線部（２）の間に線状体（Ｗ）（図２では省略）を位置させ、固定側掴線部（１）に線状体（Ｗ）（図２では省略）を嵌合させて、この状態で引張部（６２）により連接棒（５）を固定側掴線部（１）と略平行に、即ち線状体（Ｗ）（図２では省略）と略平行に正面視右方に引っ張る。
なお、引張部（６２）を無くし、支点（６１）に張線器（２００）（図４では省略）のワイヤ等を取り付けて直接、連接棒（５）を引っ張っても良い。
【００２１】
引張部（６２）により連接棒（５）を右方に引っ張ると、図４に示すように、連接棒（５）は支点（６１）回りに時計回りに回動しながら、右方へ移動する。これに伴って第１作動部（３）及び第２作動部（４）は、支点（３２）、（４２）にて右方へと引っ張られ、支点（３１）、（４１）回りに反時計回りに回動する。
この時、支点（３１）から右方に延伸した位置にある作用点（３３）は上方へ移動するので、作用点（３３）にて第１作動部（３）に連結した可動側掴線部（２）は上方へ移動し、固定側掴線部（１）に嵌合させている線状体（Ｗ）を押え付け掴持する。
【００２２】
上記した動作は全て、作業者が掴線器（１００）の正面側から行うことができ、作業者が移動する必要なく作業性が良い。
【００２３】
さらに、引張部（６２）を固定側掴線部（１）及び可動側掴線部（２）に略平行、即ち、線状体（Ｗ）と略平行に引っ張ることで、線状体（Ｗ）を掴持できるので、掴線器（１００）にモーメントが働き難く、固定側掴線部（１）の右端部或いは可動側掴線部（２）の左端部にて、線状体（Ｗ）に余分な負荷が加わり難い。
従って、線状体（Ｗ）に湾曲のくせがついて寿命が短くなったり、線状体（Ｗ）が損傷したりする虞を低減できる。
【００２４】
また、図４に示すように、連接棒（５）の右端部は可動側掴線部（２）の延長線近傍に位置することが好ましい。即ち支点（６１）が線状体（Ｗ）の近傍に位置することが好ましい。
引張部（６２）によって連接棒（５）を固定側掴線部（１）及び可動側掴線部（２）に略平行、即ち、線状体（Ｗ）と略平行に引っ張る時に、掴線器（１００）にモーメントがより働き難く、固定側掴線部（１）の右端部或いは可動側掴線部（２）の左端部にて、線状体（Ｗ）に余分な負荷が加わることがなく、線状体（Ｗ）に湾曲のくせがついて寿命が短くなったり、線状体（Ｗ）が損傷したりする虞がないからである。
【００２５】
なお、図４では第１作動部（３）の回転半径を第２作動部（４）の回転半径より大きくする、即ち支点（３１）と支点（３２）との間の距離を支点（４１）と支点（４２）との間の距離より長くすることで、略直線状の連接棒（５）を正面視において右上がりに傾斜させて、その右端部を線状体（Ｗ）に近付けているが、特にこれに限定されるものではない。
【００２６】
また更に、掴線器（１００）は、図２、４に示すようなストッパ（７）を備えていても良い。固定側掴線部（１）に線状体（Ｗ）を嵌合させた後、引張部（６２）を引っ張って線状体（６２）を掴持するまでの間に脱落することを防止できるからである。
なお、ストッパ（７）は、本実施形態では固定側掴線部（１）に取り付けられているが、これに限定されるものではなく、可動側掴線部（２）に取り付けられていても良い。
【産業上の利用可能性】
【００２７】
本発明は、電力線、通信線といった電線、エレベータ等のワイヤ、チェーン等の線状体を掴持する掴線器に対して好適に利用されるものである。
【符号の説明】
【００２８】
１００  掴線器
１０    本体
１      固定側掴線部
２      可動側掴線部
３      第１作動部
４      第２作動部
５      連接棒
【図１】
2015173594.tif 000003
【図２】
2015173594.tif 000004
【図３】
2015173594.tif 000005
【図４】
2015173594.tif 000006
【図５】
2015173594.tif 000007